(57)【要約】【課題】  階段の昇降を通じて足のツボ刺激を図り得、かつ視覚障害者や視覚に不安のある者が階段中の現在地を容易に知り得るようにすること。【解決手段】  踏板本体１の踏面に、多数のツボ刺激用突起２ａ、２ａ…を配列してなる二つの突起配列領域２、２と、ツボ刺激用突起２ａを配列しない三つの平坦領域３、３、３とを構成し、更に階段の下方から上方に向かって、最下段、踊り場直前、直後及び最上段に位置すべき階段用踏板については、二つの突起配列領域２、２の間の平坦領域３に、それぞれ１個、２個、３個又は４個の位置表示用突起２ｂを突設する。【選択図】  図１
2006233516.tif 000002
【特許請求の範囲】
【請求項１】
踏板本体の踏面に、複数のツボ刺激用突起を配列してなる突起配列領域と、ツボ刺激用突起を配列しない平坦領域とを構成した階段用踏板。
【請求項２】
前記突起配列領域を、人の足幅を越える寸法の平坦領域を挟んで、前記踏板本体の横方向に、二つ配列した請求項１の階段用踏板。
【請求項３】
前記平坦領域に、当該の踏板が、階段の最下段、踊り場の直前、踊り場の直後又は最上段に位置するものであることを表示すべく、それぞれ１対１で対応する１以上の位置表示用突起を配列した請求項１又は２の階段用踏板。
【発明の詳細な説明】
【技術分野】
【０００１】
本発明は、建築物の階下と階上とを繋ぐ階段に用いる階段用踏板に関するものである。
【背景技術】
【０００２】
階段用踏板には、その踏面に主として滑り止めを考慮した案が数多く提案されている。例えば、特許文献１は、踏板本体の踏面にあり溝状の溝を形成し、該溝に対応するあり足状の嵌合部を持った滑り止め材を嵌合して取り付けた例であり、特許文献２は、木製の踏板の表面前端部に微細粒子を混合した塗料を塗布して微細粒突起による滑り止めを形成し、かつその塗膜層を透明にして踏板の木目を視認できるようにした例である。
【０００３】
特許文献１の階段用踏板によれば、滑り止め材が接着剤を使用することなく踏板本体に確実に固定され、かつ有効な滑り止め効果を得ることができるとされている。また特許文献２の滑り止め付き階段によれば、滑り止め効果を確実に得ながら、踏板先端の視認性を高め、特に階段の下降時の安全性を高めているとされる。
【０００４】
特許文献３は、基材（踏板本体）と表面材との間にクッション材を介在させ、更に先端部にノンスリップ材を配した例であり、特許文献４は、木質板で形成されている踏板の先端部上面に踏板の幅方向に長い筋状の溝を２本並設し、これらの溝に断面円形状のゴムを嵌め込んで固定した例である。
【０００５】
特許文献３の階段の踏板によれば、階段昇降時の踏み鳴り音の発生を抑止しながら歩行感を向上させ、かつ滑り止めを達成できるとされ、特許文献４の階段の滑り止め構造によれば、滑り止め構造を目立せずに、その十分な効果を得ることができるとされている。
【０００６】
【特許文献１】特開平０９−８８２８６号公報
【特許文献２】特開２００２−２７６１１４号公報
【特許文献３】特開２００１−９８７３１号公報
【特許文献４】特開平０７−２１７１３８号公報
【０００７】
以上のように、従来の階段用踏板には、滑り止めに関するものが多くを占め、それらの中に踏板の先端部の視認性を高めるものや歩行感を高めるものが含まれているが、階段の上り下りを通じて足のツボ刺激を図ろうとするものや、視覚障害者や視覚に不安のある者が階段中の現在地を知るための手段を施したもの等は全く提案されていない。
【発明の開示】
【発明が解決しようとする課題】
【０００８】
本発明は、以上のような従来技術の実情に鑑み、階段の昇降を通じて足のツボ刺激を図り得、かつ視覚障害者や視覚に不安のある者が階段中の現在地を容易に知り得るように構成した階段用踏板を提供することを解決の課題とする。
【課題を解決するための手段】
【０００９】
本発明の１は、踏板本体の踏面に、複数のツボ刺激用突起を配列してなる突起配列領域と、ツボ刺激用突起を配列しない平坦領域とを構成した階段用踏板である。
【００１０】
本発明の２は、本発明の１の階段用踏板に於いて、前記突起配列領域を、人の足幅を越える寸法の平坦領域を挟んで、前記踏板本体の横方向に、二つ配列したものである。
【００１１】
本発明の３は、本発明の１又は２の階段用踏板に於いて、前記平坦領域に、当該の踏板が、階段の最下段、踊り場の直前、踊り場の直後又は最上に位置するものであることを表示すべく、それぞれ１対１で対応する１以上の位置表示用突起を配列したものである。
【発明の効果】
【００１２】
本発明の１の階段用踏板によれば、これを利用して階段を構成した場合には、階段の昇降の際に、その踏面上のツボ刺激用突起を配した突起配列領域上に足を載せ、その際に足裏のツボを適切に刺激し得ることとなる。それ故、階段の昇降の際に、それによる運動と相まってツボ刺激による健康増進効果を得ることができる。なおこのツボ刺激用突起は踏面全体に構成されているのではなく、突起配列領域にのみ配されているものであるから、この刺激を受けたくない場合は、この領域を避けて、平坦領域を利用して昇降することができる。
【００１３】
本発明の２の階段用踏板によれば、二つの突起配列領域を平坦領域を挟んで形成したため、該二つの領域に各々片方の足を載せることとすれば、階段の一段ごとに両足のツボ刺激を行うことができる。またその間の平坦領域を利用すれば、ツボ刺激なしに階段の昇降を行うことができる。
【００１４】
本発明の３の階段用踏板によれば、平坦領域に位置表示用突起による位置表示手段を構成しているため、視覚障害者やこれに準じるような者であっても、足で踏面上の平坦領域の位置表示用突起を探ることにより、現在位置が階段の最下段か、最下段か、或いは踊り場の直前又は直後か等を確実に知り得、階段の昇降の際の事故防止等に資することができる。
【発明を実施するための最良の形態】
【００１５】
本発明の階段用踏板は、基本的に、踏板本体の踏面に、複数のツボ刺激用突起を配列してなる突起配列領域と、ツボ刺激用突起を配列しない平坦領域とを構成したものである。
【００１６】
前記踏板本体は、前記したように、ツボ刺激用突起を配列した突起配列領域をその踏面に構成するものであり、それが効果的に作用する階段、即ち、裸足又はこれに準ずる状態で昇降する階段に用いるものである。それ故、通常、住居用建築物の階段に採用するものであり、居住空間に用いる階段に採用すべきものである。その材質は、そのような場合に適するものを自由に採用することができるが、多くの場合、木質が適当である。
【００１７】
また該踏板本体は、その基本形状は、一般のそれと同様の板状に構成したものである。
【００１８】
前記ツボ刺激用突起は、その大きさ及び数は、ツボ刺激に適するように、適当に設定することができる。例えば、直径９mm前後、高さ５mm前後で、上端周囲に面取りを施した円柱状突起を採用し、その適当数を、大人の足裏の面積程度の領域に配するように構成することができる。これらのツボ刺激用突起は、前記踏板本体の踏面にそれ自体のその部位を突出させることで構成することも可能であるが、頭部の形状を、以上のような円柱状突起形状とした木製ペグを作成し、その適当数を、上記領域に開口した取付孔に打ち込んで構成することもできる。
【００１９】
前記突起配列領域は、前記のように、前記ツボ刺激用突起を突出配列した領域であるが、これは、一つの領域でも良いが、複数構成するのが適当である。中でも階段の各段の踏板に足を載せて足裏のツボ刺激を行うことができるように、二つずつ設けておくのが適当である。特に二つの突起配列領域は、踏板本体の横方向に配列し、その二つの突起配列領域の間に人の足幅を越える寸法の平坦領域を挟むこととするのが好ましい。これは何らかの理由でツボ刺激を行いたくない場合に、足を置く場所を確保する趣旨である。
【００２０】
前記平坦領域は、前記のように、ツボ刺激用突起を構成しない全ての領域であり、前記のように、二つの突起配列領域を構成した場合は、その間の平坦領域が、上記の趣旨から他の位置の平坦領域より重要である。
【００２１】
また前記平坦領域の内、前記二つの突起配列領域の間の平坦領域には、当該の踏板が、階段の最下段、踊り場の直前、踊り場の直後又は最上段に位置するものであることを表示すべく、それぞれ１対１で対応する１以上の位置表示用突起を配列構成するのが適当である。より具体的には、階段の最下段に設置する踏板の該当する平坦領域には、一つの位置表示用突起を、中間の踊り場の直前のそれには、二つの位置表示用突起を、直後のそれには三つの位置表示用突起を、更に最上段のそれには４つの位置表示用突起を、それぞれ配する等である。これらの位置表示用突起は、前記ツボ刺激用突起と同様に、木製ペグを利用して構成することができる。勿論これ以外の構成を採用することも自由である。
【００２２】
この実施例の階段用踏板によれば、これを利用して階段を構成した場合には、階段の昇降の際に、その踏面上のツボ刺激用突起を配した突起配列領域上に足を載せ、その際に足裏のツボを適切に刺激することができる。二つの突起配列領域を構成した場合は両足を一度に同一の段でそれらの突起配列領域に載せてツボ刺激効果を受けることができる。そのため、いずれにしても、階段の昇降の際に、それによる運動と相まってツボ刺激による健康増進効果を得ることができる。
【００２３】
なおこのツボ刺激用突起は踏板本体の踏面全体に構成されているのではなく、突起配列領域にのみ配されているものであるから、この刺激を受けたくない場合は、この領域を避けて、平坦領域を利用して昇降することもできる。前記のように、突起配列領域を二つ設け、その間に足幅以上の幅の平坦領域を構成した場合は、その平坦領域を利用すれば、より容易にツボ刺激なしに階段の昇降を行うことができる。
【００２４】
平坦領域に位置表示用突起による位置表示手段を構成した場合には、視覚障害者やこれに準じるような者であっても、足で踏面上の平坦領域の位置表示用突起を探ることにより、現在位置が階段の最下段か、最下段か、或いは踊り場の直前か、直後か等を確実に知り得、階段の昇降の際の事故防止等に資することができる。この平坦領域が、二つの突起配列領域の間に設けた足幅以上の幅の平坦領域中に構成したものであれば、より利用しやすく、分かりやすい表示となる。
【実施例】
【００２５】
この実施例の階段用踏板は、住宅用木造建築物の階段に用いることを前提として構成するものであり、図１(a)〜(d)及び図２(a)〜(c)に示すように、基本的に、踏板本体１の踏面に、多数のツボ刺激用突起２ａ、２ａ…を配列してなる二つの突起配列領域２、２と、ツボ刺激用突起２ａを配列しない三つの平坦領域３、３、３とを構成し、更に階段の特定の位置、即ち、下方から上方に向かって、その最下段、踊り場直前、直後及び最上段に位置すべき階段用踏板については、前記二つの突起配列領域２、２の間の平坦領域３に位置表示用突起２ｂを突設したものである。
【００２６】
前記踏板本体１は、特に図１(a)〜(c)に示すように、木質板材で構成したものであり、一般のそれと同様に、基本形状を平面から見て長方形とする板状の部材である。
【００２７】
前記ツボ刺激用突起２ａは、この実施例では、直径９mm、高さ５mmで、上端周囲に面取りを施した円柱状頭部を持った木製ペグ４を利用し、これを、図１(d)に示すように、前記突起配列領域２、２に開口形成した取付孔５に打ち込んで構成したものである。
【００２８】
前記突起配列領域２は、図１(a)、図２(a)〜(c)及び図３(a)、(b)に示すように、前記ツボ刺激用突起２ａ、２ａ…を配列して構成した領域であり、同図に示すように、この実施例では、その突起配列領域２は、踏板本体１の踏面の右寄りの領域に平坦領域３を挟んで横方向に二つ配列して構成したものである。二つの突起配列領域２、２は、いずれも該踏板本体１の前縁から後縁までその奥行き方向に沿って各々５個のツボ刺激用突起２ａ、２ａ…を直列に配した２列の突起列と、該二つの突起列の中間でそれらの前端のツボ刺激用突起２ａ、２ａより更に前縁寄りの位置に配した一つのツボ刺激用突起２ａとで構成したものである。なおこれらの突起配列領域２、２は、大人の足裏の面積を僅かに下回る程度の面積に設定したものである。
【００２９】
前記両突起配列領域２、２の間に配した平坦領域３は、その幅を人の足幅を越える寸法に設定したものである。これは何らかの理由でツボ刺激を行いたくない場合に、足を置く場所を確保する趣旨である。
【００３０】
前記平坦領域３は、図１(a)、図２(a)〜(c)及び図３(a)、(b)に示すように、前記両突起配列領域２、２の外側、即ち、右側のそれの更に右側、及び左側のそれの更に左側にも構成してある。これらはツボ刺激用突起２ａも含めて何も構成していない平坦な領域である。
【００３１】
また前記平坦領域３、３、３の内、前記二つの突起配列領域２、２の間の平坦領域３には、該当するそれには、位置表示用突起２ｂを突設する。この位置表示用突起２ｂは、当該の階段用踏板が使用される位置を表示するもので、この実施例では、階段の最下段に使用されるそれには１個の位置表示用突起２ｂを、踊り場の直前に使用されるそれには２個の位置表示用突起２ｂ、２ｂを、踊り場の直後に使用されるそれには３個の位置表示用突起２ｂ、２ｂ、２ｂを、最上段に使用されるそれには４個の位置表示用突起２ｂ、２ｂ、２ｂ、２ｂを、それぞれ配したものである。
【００３２】
これらの位置表示用突起２ｂ、２ｂ…は、前記ツボ刺激用突起２ａと同様の寸法形状の木製ペグ４を利用して構成したものである。
【００３３】
なおこの実施例では、階段に於ける前記の位置以外の位置に用いられる階段用踏板については、位置表示用突起２ｂは配していない。
【００３４】
この実施例の階段用踏板によれば、これを利用して階段を構成すれば、階段の昇降の際に、その踏面上のツボ刺激用突起２ａ、２ａ…を配した二つの突起配列領域２、２上に足を載せ、その際に足裏のツボを適切に刺激することができる。そのため、階段の昇降の際に、それによる運動と相まってツボ刺激による健康増進効果を期待することができる。
【００３５】
なおツボ刺激を受けたくない場合は、前記二つの突起配列領域２、２を避けて、その間の平坦領域３等を利用して昇降することもできる。
【００３６】
階段を構成する階段用踏板の内、最下段、踊り場直前直後、及び最上段のそれには、前記したように、前記突起配列領域２、２の間の平坦領域３に、それぞれ対応する数の位置表示用突起２ｂ、２ｂ…を構成しため、視覚障害者やこれに準じるような者であっても、足で踏面上の前記二つの突起配列領域２、２の間の平坦領域３の位置表示用突起２ｂ、２ｂ…を探ることにより、現在位置が階段の最下段か、最上段か、或いは踊り場の直前か、直後かを確実に知り得、階段の昇降の際の事故防止等に資することができる。
【図面の簡単な説明】
【００３７】
【図１】(a)は実施例の階段用踏板の平面図、(b)は正面図、(c)は右側面図、(d)は木製ペグでツボ刺激用突起を構成する態様を示した断面説明図。
【図２】(a)は二つの位置表示用突起を配した実施例の階段用踏板の平面図、(b)は三つの位置表示用突起を配した実施例の階段用踏板の平面図、(c)は位置表示用突起を配していない実施例の階段用踏板の平面図。
【図３】(a)実施例の階段用踏板を利用した階段の最上段付近を示した概略斜視図、(b)は実施例の階段用踏板を利用した階段の最下段付近を示した概略斜視図。
【符号の説明】
【００３８】
１    踏板本体
２    突起配列領域
２ａ  ツボ刺激用突起
２ｂ  位置表示用突起
３    平坦領域
４    木製ペグ
５    取付孔
【図１】
2006233516.tif 000003
【図２】
2006233516.tif 000004
【図３】
2006233516.tif 000005